(57)【特許請求の範囲】
【請求項１】
携帯電話機からの電子申請の送信を受けて携帯電話機からの認証情報を記憶手段に格納させ、送信を受けた電子申請を発信し、交付文書交付サーバからの交付文書の送信を受けて認証情報を参照して交付文書に電子交付用電子透かしを付加して携帯電話機に送付する電子申請用サーバが、
携帯電話機に送付した交付文書を交付文書情報としておよび交付文書に付加された電子交付用電子透かしを格納する記憶手段を備え、
携帯電話機が、
送信された交付文書を交付文書情報として格納する格納手段と、
格納された交付文書情報について、通信手段を介して申請用端末に直接的に送信する申請ルート、接続されたプリンタに印刷文書として印刷する申請ルートおよびＩＣカードに格納してＩＣカードによって申請する申請ルートを表示し、いずれの申請ルートを選択するのかを問い合わせるルート選択手段を備えた表示画面を備えた画面表示処理手段と、
格納された交付文書情報を通信手段を介して申請用端末に直接的に送信し、接続されたプリンタに送信しおよびＩＣカードに格納するＩＣカード格納手段と、を備え、
前記電子申請用サーバに通信手段を介して接続された前記申請用端末が、
通信手段を介して直接的に送信された、電子交付用電子透かしを付加した電子文書情報、印刷文書のスキャニングによって形成とされた、電子交付用電子透かしを付加した印刷文書情報およびＩＣカードに格納され、ＩＣカードリーダによって読み出された、電子交付用電子透かしを付加した電子文書情報のいずれかの情報を前記申請ルートを介して受信し、受信した電子文書情報又は印刷文書情報に付加された電子交付用電子透かしを前記電子申請用サーバに送信し、
前記電子申請用サーバが、選択された申請ルートを介して、電子交付用電子透かしを付加した電子文書情報の送信を受けて該電子交付用電子透かしを前記記憶手段に格納した電子交付用電子透かしと照合して検証を行う電子文書検証手段と、
選択された申請ルートを介して、電子交付用電子透かしを付加した印刷文書情報の送信を受けて該印刷文書情報に付加された複数の電子交付用電子透かしを記憶手段に格納した電子交付用電子透かしと照合する検証を行う印刷文書検証手段と、
検討結果を前記申請用端末に送信する検討結果送付手段と、を備えること
から構成されることを特徴とする電子申請および検証システム。
【請求項２】
携帯電話機からの電子申請の送信を受けて携帯電話機からの認証情報を記憶手段に格納させ、送信を受けた電子申請を発信し、交付文書交付サーバからの交付文書の送信を受けて認証情報を参照して交付文書に電子交付用電子透かしを付加して携帯電話機に送付する電子申請用サーバであって、
該電子申請用サーバが、携帯電話機に送付した交付文書を交付文書情報としておよび交付文書に付加された電子交付用電子透かしを格納する記憶手段を備え、
携帯電話機が、
送信された交付文書を交付文書情報として格納する格納手段と、
格納された交付文書情報について、通信手段を介して申請用端末に直接的に送信する申請ルート、接続されたプリンタに印刷文書として印刷する申請ルートおよびＩＣカードに格納してＩＣカードによって申請する申請ルートを表示し、いずれの申請ルートを選択するのかを問い合わせるルート選択手段を備えた表示画面を備えた画面表示処理手段と、
格納された交付文書情報を通信手段を介して申請用端末に直接的に送信し、接続されたプリンタに送信しおよびＩＣカードに格納するＩＣカード格納手段と、を備え
前記電子申請用サーバに通信手段を介して接続された前記申請用端末が、通信手段を介して直接的に送信された、電子交付用電子透かしを付加した電子文書情報、印刷文書のスキャニングによって形成された、電子交付用電子透かしを付加した印刷文書情報およびＩＣカードに格納され、ＩＣカードリーダによって読み出された、電子交付用電子透かしを付加した電子文書情報のいずれかの情報を前記申請ルートを介して受信し、受信した電子文書情報又は印刷文書情報に付加された電子交付用電子透かしを前記電子申請用サーバに送信すること
から構成される電子申請および検証システムに用いられる前記電子申請サーバにおいて、
前記電子申請用サーバが、選択された申請ルートを介して、電子交付用電子透かしを付加した電子文書情報の送信を受けて該電子交付用電子透かしを前記記憶手段に格納した電子交付用電子透かしと照合して検証を行う電子文書検証手段と、
選択された申請ルートを介して、電子交付用電子透かしを付加した印刷文書情報の送信を受けて該印刷文書情報に付加された複数の電子交付用電子透かしを記憶手段に格納した電子交付用電子透かしと照合する検証を行う印刷文書検証手段と、
検討結果を前記申請用端末に送信する検討結果送付手段と、
を備えること
を特徴とする電子申請および検証システムに用いられる電子申請サーバ。
【請求項３】
携帯電話機からの電子申請の送信を受けて携帯電話機からの認証情報を記憶手段に格納させ、送信を受けた電子申請を発信し、交付文書交付サーバからの交付文書の送信を受けて認証情報を参照して交付文書に電子交付用電子透かしを付加して携帯電話機に送付する電子申請用サーバを用いた電子申請および検証方法において、
電子申請用サーバが、携帯電話機に送付した交付文書を交付文書情報としておよび交付文書に付加された電子交付用電子透かしを記憶手段に格納し、
該電子申請用サーバに電子申請を送信する携帯電話機が、送信された交付文書を交付文書情報として格納し、
前記携帯電話機の画面表示処理手段が、ルート選択手段を備えて、交付文書情報を通信手段を介して申請用端末に直接的に送信する申請ルート、接続されたプリンタに印刷文書を送信する申請ルートおよびＩＣカードに格納してＩＣカードによって申請する申請ルートのいずれの申請ルートを選択するのかを表示画面上に問い合わせ、選択された申請ルートに従って、交付文書情報を通信手段を介して申請用サーバに接続された申請用端末に直接的に送信し、プリンタに送信し、またはＩＣカードに格納し、
前記電子申請用サーバに通信手段を介して接続された申請用端末が、通信手段を介して直接的に送信された、電子交付用電子透かしを付加した電子文書情報、印刷文書のスキャニングによって形成された電子交付用電子透かしを付加した印刷文書情報およびＩＣカードに格納され、ＩＣカードリーダによって読み出された電子交付用電子透かしを付加した電子文書情報のいずれかの情報を申請ルートを介して受信し、受信した電子文書情報又は印刷文書情報に付加された電子交付用電子透かしを前記電子申請用サーバに送信し、
前記電子申請用サーバの電子文書検証手段が、選択された申請ルートを介して、電子交付用電子透かしを付加した電子文書情報の送信を受けて該電子交付用電子透かしを前記記憶手段に格納した電子交付用電子透かしと照合して検証を行い、
前記電子申請用サーバの印刷文書検討手段が、選択された申請ルームを介して、電子交付用電子透かしを付加した印刷文書情報の送信を受けて該印刷文書情報に付加された複数の電子交付用電子透かしを記憶手段に格納した電子交付用電子透かしと照合する検証を行い、
検討結果送付手段が、検討結果を前記申請用端末に送信すること
から構成されることを特徴とする電子申請および検証方法。
【請求項４】
請求項３において、前記電子申請用サーバによって２ないし４個の電子交付用電子透かしが交付文書に付加されることを特徴とする電子申請および検証方法。
【発明の詳細な説明】
【技術分野】
【０００１】
本発明は、電子申請および検証システム、これに用いる電子申請用サーバ、これに関連した携帯電話機、並びに検証方法に関する。
【背景技術】
【０００２】
現在、住民票の電子申請による取得が実現されているが全体的に見れば電子申請利用率は高いとは言えない状況にある。
このような電子申請に際しては、電子文書の真正性検証方法およびシステムが重要になる。
【０００３】
特許文献１には、検索対象文書の電子署名により計算したハッシュ値とハッシュ値リストに記載された検索対象文書のハッシュ値を比較して検索対象文書の真正性を検証することが記載されている。
【０００４】
特許文献２には、電子透かし電子文書に基づいて印刷された印刷文書をスキャンし読み取ったスキャン画像をサーバに送信し、電子文書と画像情報を比較して合成画像を出力し、印刷文書内容証明を行うことがきさいされている。
【０００５】
特許文献３には、電子化文書と紙面記載文書の同一性の確認をする作業の支援を行う装置が記載されている。
【０００６】
特許文献４には、画像をｊｘｋ（ｊ，ｋは自然数）画素のブロック毎に周波数変換して、その周波数成分に対して電子すかしデータを挿入する際に、ブロック毎に複数種類の電子すかしデータを挿入するデジタル画像への電子すかしデータ挿入装置が記載されている。
【０００７】
【特許文献１】特開２００７−４３３２１号公報
【特許文献２】特開２００４−７０７８６号公報
【特許文献３】特開平１０−１３４１４１号公報
【特許文献４】特開２０００−２１６９８８号公報
【発明の開示】
【発明が解決しようとする課題】
【０００８】
電子申請のシステム化は高率に達しているが、利用率は極めて低い状況にある。
一方、高速・高機能の携帯電話機は広く普及している。
【０００９】
本発明は、かかる点に鑑みて携帯電話機を利用した電子申請を簡便に行い得るようになし、携帯電話機を用いた場合の特に紙文書による申請に際して印刷文書の真正性検証を容易かつ確実に行い得るようにした電子申請用サーバ、これを用いた検証システムおよび検証方法を提供することを目的とする。
【課題を解決するための手段】
【００１０】
本発明は、携帯電話機からの電子申請の送信を受け、携帯電話機からの認証情報を記憶手段に格納させ、送信を受けた電子申請を発信し、交付文書交付サーバからの交付文書の送信を受け、認証情報を参照し、交付文書に電子交付用電子透かしを付加して携帯電話機に送付する電子申請用サーバにおいて、
複数の電子交付用電子透かしを交付文書に付加する電子交付用電子透かし付加手段と、
携帯電話機に送付した交付文書を交付文書情報としておよび交付文書に付加した電子交付用電子透かしを格納する記憶手段と、
電子交付用電子透かしを付加した電子文書情報の送信を受けて該電子交付用電子透かしを前記記憶手段に格納した電子交付用電子透かしと照合し、双方の電子交付用電子透かしが一致したときに、電子文書情報と前記交付文書情報との検証を行う電子文書検証手段と、
複数の電子交付用電子透かしを付加した印刷文書のスキャニングによって生成された印刷文書についての印刷文書情報の送信を受けて該印刷文書情報に付加された複数の電子交付用電子透かしを前記記憶手段に格納した電子交付用電子透かしと照合し、双方のすべての電子交付用電子透かしが一致したときに、印刷文書情報を前記記憶手段に格納した交付文書情報とを照合して両者の同一性を判定して検証を行う印刷文書検証手段と、を備え、
前記電子文書検討手段と前記印刷文書検証手段は、同一の電子用交付用電子透かしに対して前記記憶手段に格納した交付文書情報を共通して用いること
を特徴とする電子申請用サーバを提供する。
【００１１】
本発明は、また、電子文書検証手段は、通信手段を介して携帯電話機もしくはパーソナルコンピュータ（ＰＣ）から直接的に送信された電子文書情報、およびＩＣカードに格納されＩＣカードリーダによって読み出された電子文書情報のいずれかの電子文書情報の送付を受けて該電子文書情報に付加された電子交付用電子透かしを前記記憶手段に格納した電子交付用電子透かしとを照合することを特徴とする電子申請用サーバを提供する。
【００１２】
本発明は、また、電子申請用サーバに電子申請を送信する携帯電話機であって、送信された交付文書を交付文書情報として格納する格納手段と、格納された交付文書情報について、通信手段を介して申請用端末に直接的に送信するのか、接続されたプリンタに印刷文書として印刷するのかおよびＩＣカードに格納するのかを問い合わせる表示画面を備えた画面表示処理手段と、
格納された交付文書情報を通信手段を介して申請用端末に直接的に送信し、接続されたプリンタに送信しおよびＩＣカードに格納する処理手段と、を備えたことを特徴とする携帯電話機を提供する。
【００１３】
本発明は、携帯電話機からの電子申請の送信を受けて携帯電話機からの認証情報を記憶手段に格納させ、送信を受けた電子申請を発信し、交付文書交付サーバからの交付文書の送信を受けて認証情報を参照して交付文書に電子交付用電子透かしを付加して携帯電話機に送付する電子申請用サーバであって、
複数の電子交付用電子透かしを交付文書に付加する電子交付用電子透かし付加手段と、
携帯電話機に送付した交付文書を交付文書情報としておよび交付文書に付加した電子交付用電子透かしを格納する記憶手段と、
電子交付用電子透かしを付加した電子文書情報の送信を受けて該電子交付用電子透かしを前記記憶手段に格納した電子交付用電子透かしと照合して検証を行う電子文書検証手段と、
複数の電子交付用電子透かしを付加した印刷文書がスキャニングによって生成された印刷文書についての印刷文書情報の送信を受けて該印刷文書情報に付加された複数の電子交付用電子透かしを記憶手段に格納した電子交付用電子透かしと照合し、双方のすべての電子交付用電子透かしが一致したときに、印刷文書情報を前記記憶手段に格納した交付文書情報と照合して両者の同一性を判定して検証を行う印刷文書検証手段と、を備えた電子申請用サーバ、
該電子申請用サーバに電子申請を送信する携帯電話機であって、送信された交付文書を交付文書情報として格納する格納手段と、
格納された交付文書情報について、通信手段を介して申請用端末に直接的に送信するのか、接続されたプリンタに印刷文書として印刷するのかおよびＩＣカードに格納するのかを問い合わせる表示画面を備えた画面表示処理手段と、
格納された交付文書情報を通信手段を介して申請用端末に直接的に送信し、接続されたプリンタに送信しおよびＩＣカードに格納するＩＣカード格納手段と、を備えた携帯電話機、および
前記電子申請用サーバに通信手段を介して接続された申請文書作成端末あるいは提出先端末であって、通信手段を介して直接的に送信された電子文書情報、複数の電子交付用電子透かしを付加した印刷文書がスキャニングによって印刷文書とされた印刷文書情報およびＩＣカードに格納された、電子交付用電子透かしを付加した交付文書をＩＣカードリーダによって読み出した電子文書情報を前記電子申請用サーバに送信する申請文書作成端末あるいは／および提出先端末
から構成されることを特徴とする電子申請および検証システムを提供する。
【００１４】
本発明は、また、プリンタは、印刷文書に複数の電子交付用電子透かしを印刷し、前記申請用端末は複数の電子交付用電子透かしを前記電子申請用サーバの記憶手段に格納された電子交付用電子透かしと照合することを特徴とする電子申請および検証システムを提供する。
【００１５】
本発明は、携帯電話機からの電子申請の送信を受け、携帯電話機からの認証情報を記憶手段に格納させ、送信を受けた電子申請を発信し、交付文書交付サーバからの交付文書の送信を受け、認証情報を参照し、交付文書に電子交付用電子透かしを付加して携帯電話機に送付する電子申請用サーバを用いた検証方法において、
電子交付用電子透かし付加手段によって複数の電子交付用電子透かしを交付文書に付加し、
記憶手段によって携帯電話機に送付した交付文書を交付文書情報としておよび交付文書に付加した電子交付用電子透かしを格納し、
電子文書検証手段によって電子交付用電子透かしを付加した電子文書情報の送信を受けて該電子交付用電子透かしを前記記憶手段に格納した電子交付用電子透かしと照合し、双方の電子交付用電子透かしが一致したときに、電子文書情報と前記交付文書情報との検証を行い、
印刷文書検証手段によって複数の電子交付用電子透かしを付加した印刷文書がスキャニングによって生成された印刷文書についての印刷文書情報の送信を受けて該印刷文書情報に付加された複数の電子交付用電子透かしを前記記憶手段に格納した電子交付用電子透かしと照合し、双方のすべての電子交付用電子透かしが一致したときに、印刷文書情報を前記記憶手段に格納した交付文書情報とを照合して両者の同一性を判定して検証を行うこと
を備えたことを特徴とする電子申請用サーバを用いた検証方法を提供する。
【００１６】
本発明は、また、電子文書検証手段によって、通信手段を介して携帯電話機もしくはパーソナルコンピュータ（ＰＣ）から直接的に送信された電子文書情報、およびＩＣカードに格納されＩＣカードリーダによって読み出された電子文書情報のいずれかの電子文書情報の送付を受けて該電子文書情報に付加された電子交付用電子透かしを前記記憶手段に格納した電子交付用電子透かしとを照合することを特徴とする電子申請用サーバを用いた検証方法を提供する。
【００１７】
本発明は、また、電子申請用サーバによって２ないし４個の電子交付用電子透かしが交付文書に付加されることを特徴とする電子申請用サーバを用いた検証方法を提供する。
【発明の効果】
【００１８】
本発明の電子申請用サーバは、複数の電子交付用電子透かしを交付文書に付加するようにしており、この複数の電子交付用電子透かしを印刷文書検証の際に用いるようにしているので、携帯電話機を用いて簡便に電子申請を行うに際して、印刷文書の真正性検証を容易にかつ確実に行い得るようにした電子申請用サーバ、これを用いた検証システムおよび検証方法を提供することができる。更には、本発明によれば、これらの手段および方法に用いるに便利な携帯電話機を提供することができる。
【発明を実施するための最良の形態】
【００１９】
以下、本発明の実施例を図面に基づいて説明する。
【実施例】
【００２０】
図１は、本発明の実施例の概念を示す図であり、図２はその詳細を示すブロック図である。
【００２１】
図１において、電子申請および検証システム１００は、電子申請を行おうとするエンドユーザ（市民あるいは事業者）が所有し、活用する多数の携帯電話機１、携帯電話機１に接続された電子申請用サーバ（すなわち電子申請・検証サーバあるいは電子申請／認証／検証サーバ）２、この電子申請用サーバ２に接続され、電子申請を受信して交付文書の作成を行い交付文書の交付を行うためのものであって、ユーザ（公共団体）が所用、活用する交付文書交付サーバ３、携帯電話機１に格納する各種情報を印刷文書（いわゆる紙文書）にするプリンタ（スキャニング装置が付属する）４、申請文書作成端末６および文書提出先が企業、警察署などの公共団体であって、文書を文書情報として申請受付（提供受付を含む）を行う提出先端末７を備えて構成される。申請用文書作成端末６あるいは提出先端末７は、通常はパーソナルコンピュータ（パソコン、ＰＣ）であるが、携帯電話機１そのものが含まれる場合がある。申請者は、市民あるいは事業者である。
【００２２】
そして、この電子申請および検証システム１００には、多くの場合、インターネットなどの通信手段８が含まれる。
【００２３】
申請文書作成端末６から企業あるいは公共団体の提出先端末７にある程度の文書を申請しようとする場合に、公共団体から公付文書の提供を受け付けることが必要になる場合がある。この場合に、公共団体の公付文書の申請に活用されるのが電子申請であり、この電子申請の典型的例が住民票申請であり、交付文書交付サーバが自治体住民票発行サーバ（Ｗｅｂ公開）であり、交付文書が住民票（署名付ＰＤＦ（Portable Document Format））であり、住民票の提出先は警察署である。
【００２４】
携帯電話機１の所有者であるユーザは、住基カードによる公的個人認証に代えて交付文書交付サーバ３にはユーザ登録をしておく。この登録に当ってはユーザはＩＤ番号あるいは指静脈その他の生体情報による登録を行うようにしてもよい。
【００２５】
携帯電話機１から電子申請によって電子申請用サーバ２を介して交付文書交付サーバ３に対してなされる。電子申請用サーバ２は、ユーザの認証情報と交付文書交付サーバ３に登録したユーザ登録情報とを照合して交付文書交付サーバ３に交付文書の作成を依頼する。交付文書交付サーバ３はこの依頼を受付けると受付番号を設定し、交付文書の作成を行い、作成された交付文書を署名付ＰＤＦで電子申請用サーバ２に送信する。
【００２６】
電子申請用サーバ２は、認証情報を確認して交付文書すなわち交付文書情報（データ）を電子交付用ＰＤＦ（署名付）として携帯電話機１に送信する。交付文書を電子交付用ＰＤＦ（署名付）として送信するに際して、電子申請用サーバ２は交付文書情報には複数の電子透かし、すなわち複数の電子交付用電子透かしを付加して携帯電話機１に送信する。
【００２７】
ユーザは送付された複数の電子交付用電子透かしが付加された交付文書情報を少なくとも三つのルートで申請文書作成端末６に送信して任意の団体の提出先端末７に必要な書類として申請することを行う。
【００２８】
第１のルートは、通信手段８を介して直接的に申請文書作成端末６を介して提出先端末７に送信するルートである。この場合に、電子文書情報には、１つまたは複数の電子交付用電子透かしが印加される。
【００２９】
第２のルートは、携帯電話機１が無線あるいは有線による接続線を介して接続されたプリンタ４で電子署名付ＰＤＦの印刷文書とし、スキャニング装置によってスキャニングを行って印刷文書情報に変換し、申請文書作成端末６を介して提出先端末７に送信するルートである。この場合に、印刷文書情報には複数の、少なくとも上述の電子文書情報に付加された複数の電子交付用電子透かし以上の数の電子交付用電子透かしが付加される。
【００３０】
第３のルートは、携帯電話機１に格納された交付文書情報をＩＣカードに転送、格納し、格納された交付文書情報をＩＣカードリーダで読み取られて電子文書情報に変換し、申請文書作成端末６を介して提出先端末７に送信するルートである。この場合に、電子文書情報には、１つまたは複数の電子交付用電子透かしが付加される。印刷文書情報を含め電子情報には、交付文書名称、交付日時、申請者名などの情報および当該交付文書を特定する他のキーを付加するようにする。
【００３１】
なお、ルートは第１のルートおよび第２のルートで構成するようにしてもよいし、第２のルートと第３のルートで構成するようにしてもよい。
【００３２】
いずれかのルートによって申請者が作成され、交付文書の提出があった時には、提出先端末７を操作する担当者１０は、提出先端末７からキーなどの申請者特定者情報を用いて電子申請用サーバ２に対して提出された交付文書が真正であるかについての検証要求を行う。
【００３３】
検証要求があると、電子申請用サーバ２は、電子交付用電子透かしを付加した電子文書情報の送信を受けて電子交付用電子透かしを記憶手段に格納した電子交付用電子透かしと照合し、双方の電子交付用電子透かしが一致したときに、電子文書情報と前記交付文書情報との検証を行う。
【００３４】
あるいは、複数の電子交付用電子透かしを付加した印刷文書のスキャニングによって生成されたスキャニング文書についてのスキャニング文書情報の送信を受けて該スキャニング文書情報に付加された複数の電子交付用電子透かしを記憶手段に格納した電子交付用電子透かしと照合し、双方のすべての電子交付用透かしが一致したときに、スキャニング文書情報を前記記憶手段に格納した交付文書情報とを照合して両者の同一性を判定して検証を行う。
【００３５】
電子申請用サーバ２は、上述した二つのルートのいずれのルートを介して検証要求があった場合にも対処することができる。このため、後述するように電子文書検証手段および印刷文書検証手段を備える。
【００３６】
電子申請用サーバ２は、検証要求にあった電子文書あるいは印刷文書が交付文書と同一であると判定した場合には同一であることを確認したことの応答、同一でないと判定した場合には同一でないことを確認したことの応答を提出先端末７に対して行う。
【００３７】
いずれのルートを介して検証要求があっても申請者が同一で、同一案件であると判定される場合には、電子文書検討手段と印刷文書検証手段は、同一の電子用交付用電子透かしに対して記憶手段に格納した交付文書情報を共通して用いることになる。
【００３８】
上述の例では提出先端末７からの要求で検証を行うようにしているが、ユーザ自身が確認を行うことのために申請文書作成端末６からも行えるようにしてもよい。
【００３９】
図２を用いて更に詳述する。
図２において、電子申請および検証システム１００は、図１に示すと同じく、携帯電話機１、電子申請用サーバ２、交付文書交付サーバ３、プリンタ４、ＩＣカードおよびＩＣカードリーダ５、申請文書作成端末６および提出先端末７から構成され、各種の通信手段が活用される。
【００４０】
携帯電話機１は、記憶手段１１、表示画面１２を備えた画面表示処理手段１３および情報出力手段１４を備える。通常の入出力手段は図示していない。
【００４１】
情報出力手段１４は、発信手段１５、印刷指示手段１６およびＩＣカード格納手段１７のすべての手段あるいはいずれかの手段を備える。
【００４２】
電子申請用サーバ２は、入出力手段２１、認証手段２２、複数の電子交付用電子透かし付加手段２３、記憶手段２４および検証手段２７を備える。
【００４３】
記憶手段２４は、交付文書を交付文書情報として記憶し、更に電子交付用電子透かしを記憶する。
【００４４】
検証手段２７は、第１のルートによる電子文書の検証（１）２８を行い、第１のルートによる印刷文書の検証２９を行い、更に第３のルートによる電子文書の検証（２）を行う。
【００４５】
交付文書交付サーバ３は、交付文書交付手段３１を備える。
【００４６】
プリンタ４は、交付文書印刷手段を有し、そしてスキャニング装置を付属して備える。ここでは、交付文書印刷手段およびスキャニング装置４１として図示した。スキャニングによって生成された交付文書情報には複数の電子交付用電子透かしが付加される。
【００４７】
ＩＣカードおよびＩＣカードリーダ５には、ＩＣカードとしてのＩＣカード格納手段４２およびＩＣカードリーダとしてのＩＣカード格納情報読み出し手段４３が含まれる。ＩＣカードリーダ４３によって読み出された電子文書には１つまたは複数の電子交付用電子透かしが付加される。
【００４８】
申請文書作成端末６は、申請文書を作成し、電子文書情報（１）５１、印刷文書情報５２あるいは電子文書情報５３（２）が付属される。入出力手段については図示していない。
【００４９】
提出先端末７は、入出力手段５４、検証要求手段および検証確認手段５６を備える。
【００５０】
以上の構成において、携帯電話機１から交付文書の交付のための電子申請が交付文書交付サーバ３に対してなされる。この電子申請は電子申請用サーバ２に入力され、認証情報が確認されて交付文書交付サーバ３に送信される。
【００５１】
交付文書サーバ３は、交付文書の作成を行い、交付文書を交付文書情報として電子申請用サーバ２に送信する。
【００５２】
電子申請サーバ２は、複数の電子交付用電子透かし付加手段によって交付文書情報に複数の電子交付用電子透かしを付加し、認証手段２２によって申請人であるユーザを確認し、該当の携帯電話機１に署名付きの交付文書情報を電子交付用ＰＤＦとして送付する。
【００５３】
この交付文書情報には、複数の電子交付用透かしが付加される。これらの交付文書情報および電子交付用電子透かしは記憶手段２４に記憶される。
携帯電話機１は、送信されたこれらの情報を記憶手段１１に記憶する。
画面表示処理手段１３は、格納された上述の情報を表示画面１２に表示することを行う。
【００５４】
情報出力手段１４は、発信手段１５、印刷指示手段１６およびＩＣカード格納手段１７のいずれを用いて上述の情報を申請文書作成端末６に、プリンタ４に、あるいはＩＣカード４２に出力する。各携帯電話機１は上述の発信手段１５、印刷指示手段１６およびＩＣカード格納手段１７のすべての手段を備えていてもよいし、いずれか１つの手段を備えていてもよい。いずれもの手段を備えていている場合には、いずれかの手段を採用するかをルート別に表示画面１２に表示して、画面表示処理手段１３に付属させたルート選択手段（図示せず）によっていずれかの手段を選択させるようにしてもよい。このようなルート選択手段を設けておくことによって次のステップへの移行が楽になる。
【００５５】
発信手段１５は、交付文書情報を申請文書作成端末６に電子文書情報（１）として送信される。この第１ルートが採用された場合における電子交付用電子透かしの数は、電子申請用サーバ２によって予め定められ、１つまたは複数の電子交付用電子透かしが付加される。
【００５６】
印刷指示手段１６は、プリンタ４の交付文書印刷手段に交付文書を印刷物として印刷するように指示する。この指示を受けた交付文書印刷手段は印刷物を生成する。この印刷物には複数の電子交付用電子透かしが印加して印刷される。例えば電子交付用電子透かしは１枚の印刷物の４隅にそれぞれ１箇所づつ印刷される。左右あるいは上下２ヶ所に印刷することができる。電子申請用サーバ２によって２ないし４個の電子交付用電子透かしが交付文書に、すなわち交付文書情報に上述した形で印刷され、これらの電子交付用電子透かしが印刷物に印刷されることになる。
【００５７】
印刷物はスキャニング装置によってスキャニングされて印刷文書情報とされて申請文書作成端末ｂに入力される。この場合に、印刷文書情報には複数の電子交付用電子透かしが付加され、第２のルートが確立される。
【００５８】
ＩＣカード格納手段１７は、記憶手段１１に格納された交付文書情報および電子交付用電子透かしをＩＣカード４２に転送し格納する。ＩＣカード４２に格納されたこれらの情報はＩＣカードリーダ４３によって読み出されて申請文書作成端末６に入力され、電子文書情報（２）とされる。電子文書情報（２）には１つまたは複数の電子交付用電子透かしが付加される。かくして第３のルートが確立される。
【００５９】
申請文書作成端末６は、電子文書情報（１）５１、印刷文書情報５２あるいは電子文書情報（２）５３を用いて、あるいはこれらの文書情報の複数を用いて申請文書を作成する。作成した申請文書は提出先である提出先端末７に送信される。
【００６０】
提出先端末は、上述した情報を入力すると、これらの情報、すなわち電子文書情報（１）、印刷文書情報あるいは電子文書情報（２）、あるいはこれらを組み合わせた情報を申請人であることを示す本人特定情報と共に検証要求５７を出力して、電子申請サーバ２に検討を要求する。
【００６１】
検証手段２７は入力された電子文書情報（１）に付加された１または複数の電子交付用電子透かしを記憶手段２４に記憶された電子交付用電子透かしと照合し、一致すると判定される場合に電子文書検証（１）２８を行う。電子文書と交付文書との一致性の判定は各種の手法、例えば両者の合成などによる合成情報の作成などによって行うことができる。
【００６２】
検証手段２７は入力された印刷文書情報に付加された２ないし１４個の（複数の）電子交付用透かしを記憶手段２４に記憶された電子交付用電子透かしと照合し、すべてが一致すると判定される場合に印刷文書検証２９を行う。
【００６３】
また、検証手段２７は入力された電子文書情報（２）に付加された１または複数の電子交付用電子透かしと照合し、一致すると判定される場合に電子文書検証（２）を行う。これらの検証は検証手段の組み合わせで行われてもよい。
【００６４】
検証の結果は、検証一致あるいは検証不一致として確認５７されて提出先端末７に戻される。検証一致が確認されると提出先端末７では任意の次のステップへと手続を進行させることになる。
【００６５】
本例では、提出先端末７が検証要求５７を行うことにしているが、この検証要求に加えて点線で示すように、申請文書作成端末６から検証要求を行うこととしてもよい。このようにすることによって提出先端末７に先立って電子文書検証（１）２８、印刷文書検証２９あるいは電子文書２（３０）を行うことができる。
【００６６】
以上のように、本実施例の電子申請および検証システム１００は次のような構成を備える。
【００６７】
携帯電話機１からの電子申請の送信を受けて携帯電話機１からの認証情報を記憶手段２４に格納させ、送信を受けた電子申請を発信し、交付文書交付サーバ３からの交付文書の送信を受けて認証情報を参照して交付文書に電子交付用電子透かしを付加して携帯電話機に送付する電子申請用サーバが用いられる。
【００６８】
複数の電子交付用電子透かしを交付文書に付加する電子交付用電子透かし付加手段２３を備える。
【００６９】
携帯電話機１に送付した交付文書を交付文書情報としておよび交付文書に付加した電子交付用電子透かしを格納する記憶手段２４を備える。
【００７０】
電子交付用電子透かしを付加した電子文書情報の送信を受けて該電子交付用電子透かしを記憶手段２４に格納した電子交付用電子透かしと照合して検証を行う電子文書検証手段２８，３０を備える。
【００７１】
複数の電子交付用電子透かしを付加した印刷文書がスキャニングによって生成された印刷文書（スキャニング文書）についての印刷文書情報の送信を受けて該印刷文書情報に付加された複数の電子交付用電子透かしを記憶手段２４に格納した電子交付用電子透かしと照合し、双方のすべての電子交付用電子透かしが一致したときに、印刷文書情報を記憶手段２４に格納した交付文書情報と照合して両者の同一性を判定して検証を行う印刷文書検証手段２９と、を備える。
【００７２】
送信された交付文書を交付文書情報として格納する格納手段１１を備える。
【００７３】
格納された交付文書情報について、通信手段８を介して申請用端末に直接的に送信するのか、接続されたプリンタに印刷文書として印刷するのかおよびＩＣカードに格納するのかを問い合わせる表示画面１２を備えた画面表示処理手段１３を備える。
【００７４】
格納された交付文書情報を通信手段を介して申請用端末に直接的に送信し、接続されたプリンタに送信しおよびＩＣカードに格納するＩＣカード格納手段と、を備えた携帯電話機が用いられる。
【００７５】
電子申請用サーバ２に通信手段８を介して接続された申請文書作成端末６あるいは提出先端末７であって、通信手段８を介して直接的に送信された電子文書情報、複数の電子交付用電子透かしを付加した印刷文書がスキャニングによって印刷文書とされた印刷文書情報およびＩＣカードに格納された、電子交付用電子透かしを付加した交付文書をＩＣカードリーダによって読み出した電子文書情報を電子申請用サーバ２に送信する申請文書作成端末あるいは／および提出先端末が用いられる。
【００７６】
図３は、図２の交付文書２５および電子交付用電子透かし２６の１例を示す。この例は、地紋透かし技術を使用して交付文書に電子透かしを埋め込むものである。図３において、交付文書６１の任意の位置、例えば文書間の空白の微少な点６２に地紋透かし技術によって電子透かし６３を埋め込む。この電子透かしは偽造・改ざん検知情報として使用される属性情報（印刷同時、印刷者、文書データ属性）、文書内容および電子署名などを含ませることができる。文書の紙面全体の任意の微少な点に印刷することにより任意の情報を埋め込むことができる。数Kｂｉｔ（ビット）の情報を埋め込むことができる。
【００７７】
図４は、実施例のフローを示す。このフローの実施に当っては各種のプログラムが使用される。
【００７８】
図４において、電子申請を行い（Ｓ１）、交付文書の交付を求めると、交付文書サーバにおいて交付文書が作成され、交付文書が交付される（Ｓ２）。この場合に、電子申請用サーバ２で複数の電子交付用電子透かしが交付文書情報に付加されて（Ｓ３）、電子交付用ＰＤＦとして送付される（Ｓ４）。
【００７９】
携帯電話機では三つのルートに分けられて情報出力がなされる（Ｓ５）。第１のルートは電子文書情報（１）が生成されて直ちに申請文書作成端末に送信されるルートであり（Ｓ６）、第２のルートは印刷文書情報が生成されて申請文書作成端末に送信されるルートであり（Ｓ７）、第２のルートは電子情報（２）が生成されて申請文書作成端末に送信されるルートである（Ｓ８）。
【００８０】
申請文書作成端末では申請文書が作成され、この申請文書には電子交付用電子透かしが付加された電子文書情報（１）、複数の電子交付用電子透かしが付加された印刷文書情報あるいは電子交付用電子透かしが付加された電子文書情報（２）が付属される（Ｓ９）。申請文書は提出先端末に送信され、提出先端末から検証要求がなされる（Ｓ１０）。
【００８１】
検討要求のルートに対応して電子文書検証（１）（Ｓ１１）、印刷文書検証（Ｓ１２）あるいは電子文書検証（２）（Ｓ１３）がなされる。
【００８２】
これらの検証に際しては、それぞれの検証に対応して、または複数の電子交付用電子透かし、あるいは／または複数の電子交付用電子透かしによる一致性が判定される（Ｓ１４）、（Ｓ１５）、（Ｓ１６）。一致すると、次に電子文書と格納された交付文書（１）との一致、印刷文書を交付文書との一致あるいは電子文書（２）との一致性が判定され、真正かどうかが判定される（Ｓ１７）、（Ｓ１８）、（Ｓ１９）。
【００８３】
判定結果によって一致検証確認され（Ｓ２０）、任意の次のステップに移行する（Ｓ２１）。一致性がないと判定されると、次のステップに移行せず、一致性がない旨の回答がなされて更なる対応を求めるかあるいは終了させることになる。
【００８４】
このように、印刷文書情報を検証するに際しては、複数の電子交付用電子透かしを記憶手段に格納している電子交付用電子透かしと照合しているために一度電子情報から印刷文書情報とされ、スキャニングによって再度電子情報（印刷文書情報）とされた場合において、真正性の検証をより確実に行い得ることになる。これに伴なって複数の電子交付用電子透かしを採用した場合には、電子情報（１）（２）についても真正性を確保することができるようになる。
【図面の簡単な説明】
【００８５】
【図１】本発明の実施例の概念を示す図。
【図２】本発明の実施例の詳細を示すブロック図。
【図３】電子透かしを埋め込んだ１例を示す図。
【図４】本発明の実施例のフローチャートを示す図。
【符号の説明】
【００８６】
１…携帯電話機、２…電子申請用サーバ、３…交付文書交付サーバ、４…プリンタ、５…ＩＣカードおよびＩＣカードリーダ、６…申請文書作成端末、７…提出先端末、８…通信手段、１１…記憶手段、１２…表示画面、１３…画面表示処理手段、１４…情報出力手段、１５…発信手段、１６…印刷指示手段、１７…ＩＣカード格納手段、２２…認証手段、２３…複数の電子交付用電子透かし付加手段、２４…記憶手段、２７…検証手段、４１…交付文書印刷手段およびスキャニング装置、４２…ＩＣカード（ＩＣカード格納手段）、４３…ＩＣカードリーダ（ＩＣカード格納情報読み出し手段）、１００…電子申請および検証システム。
【図１】
0005143511.tif 000002
【図２】
0005143511.tif 000003
【図３】
0005143511.tif 000004
【図４】
0005143511.tif 000005